(57)【要約】【課題】梯子の最上段側でのトラック荷台部への荷物の積み下ろし作業等を容易に且つ安全に行なえるようにしたトラック用昇降梯子を提供する。【解決手段】左右一対の側枠１，１に踏み杆２を複数段に横架してなる梯子本体３と、梯子本体３の両側枠１，１の夫々上端部側に設けられ、トラック荷台部の立て掛け個所に係止される掛止具４とからなるトラック用昇降梯子において、梯子本体３には、最上段側の踏み杆２の上に、作業者の靴底部Ｂをその長さＬの半分以上にわたって支持するように踏み杆２よりも幅広い作業床兼用のステップ部材５を設ける。【選択図】図５
2007285054.tif 000002
【特許請求の範囲】
【請求項１】
左右一対の側枠に踏み杆を複数段に横架してなる梯子本体と、梯子本体の両側枠の夫々上端部側に設けられ、トラック荷台部の立て掛け個所に係止される掛止具とからなるトラック用昇降梯子において、
梯子本体には、最上段側の踏み杆に代えて、又はその踏み杆の上に、作業者の靴底部をその長さの半分以上にわたって支持するように踏み杆よりも幅広い作業床兼用のステップ部材を設けてなることを特徴とするトラック用昇降梯子。
【請求項２】
前記ステップ部材は、梯子本体の角筒状踏み杆に外嵌可能な踏み杆嵌合用の角筒状中空部をステップ部材の基端部側に有するアルミ押出型材からなるもので、その角筒状中空部を最上段側の踏み杆に外嵌固定してなることを特徴とする請求項１に記載のトラック用昇降梯子。
【請求項３】
前記掛止具は、梯子本体の両側枠の夫々上端部側に設置高さ変更自在に取り付けられていることを特徴とする請求項１又は２に記載のトラック用昇降梯子。
【発明の詳細な説明】
【技術分野】
【０００１】
本発明は、トラックの荷台部の所要個所に立て掛けて使用されるトラック用昇降梯子に関するものである。
【背景技術】
【０００２】
従来のトラック用昇降梯子としては、例えば下記特許文献１に記載されたものがある。このトラック用昇降梯子は、両側一対の側枠に踏み杆を所要間隔おきに横架してなる梯子本体と、この梯子本体の少なくとも片側の側枠に取り付けられる手摺と、梯子本体の両側枠の夫々上部側に設けられ、トラック荷台部の立て掛け箇所に掛止される掛止具とからなるもので、掛止具がトラック荷台部の立て掛け個所に掛止されて、自己保持されるから、作業者が梯子本体を保持する必要がなく、従って昇降梯子の使用に余分な作業員を必要とせず、昇降梯子を安全に使用できる。
【特許文献１】特開２００５−４８３８１号公報
【発明の開示】
【発明が解決しようとする課題】
【０００３】
上記特許文献１に記載のトラック用昇降梯子は、梯子本体が両側一対の側枠に踏み杆を所要間隔おきに横架して形成されるものであるが、この梯子の最上段側の踏み杆に足を掛けてトラック荷台部への荷物の積み下ろし作業等を行なうことが多く、しかして斯かる場合にその最上段の踏み杆に対する足の踏み幅が狭いために足を十分に支持させることができず、足場が不安定となって、作業がし難い上に、踏み杆から足を踏み外す危険性があった。
【０００４】
本発明は、上記の課題に鑑み、梯子の最上段側でのトラック荷台部への荷物の積み下ろし作業等を容易に且つ安全に行なえるようにしたトラック用昇降梯子を提供することを目的とする。
【課題を解決するための手段】
【０００５】
上記課題を解決するための手段を、後述する実施形態の参照符号を付して説明すると、請求項１に係る発明は、左右一対の側枠１，１に踏み杆２を複数段に横架してなる梯子本体３と、梯子本体３の両側枠１，１の夫々上端部側に設けられ、トラック荷台部の立て掛け個所に係止される掛止具４とからなるトラック用昇降梯子において、梯子本体３には、最上段側の踏み杆２に代えて、又はその踏み杆２の上に、作業者の靴底部Ｂをその長さＬの半分以上にわたって支持するように踏み杆２よりも幅広い作業床兼用のステップ部材５を設けてなることを特徴とする。
【０００６】
請求項２は、請求項１に記載のトラック用昇降梯子において、前記ステップ部材５は、梯子本体３の角筒状踏み杆２に外嵌可能な踏み杆嵌合用の角筒状中空部５ｂをステップ部材５の基端部側に有するアルミ押出型材からなるもので、その角筒状中空部５ｂを最上段側の踏み杆２に外嵌固定してなることを特徴とする。
【０００７】
請求項３は、請求項１又は２に記載のトラック用昇降梯子において、前記掛止具４は、梯子本体３の両側枠１，１の夫々上端部側に設置高さ変更自在に取り付けられていることを特徴とする。
【発明の効果】
【０００８】
上記解決手段による発明の効果を、後述する実施形態の参照符号を付して説明すると、請求項１に係る発明のトラック用昇降梯子Ａでは、梯子本体３には、最上段側の踏み杆２に代えて、又はその踏み杆２の上に、作業者の靴底部Ｂをその長さＬの半分以上にわたって支持するように踏み杆２よりも幅広い作業床兼用のステップ部材５を設けているから、作業者が梯子本体３の最上段側に足を置いて積み下ろし作業を行なう場合は、靴Ｓの底部Ｂをその最上段側のステップ部材５に十分に支持させることができて、足場が安定状態となり、従って作業がし易く、安全に作業を行なうことができるし、また作業者がトラック荷台部から下りるために最上段のステップ部材５に足を踏み入れるような時も、その靴底部Ｂをステップ部材５に十分に支持させることができるため、足を踏み外すことがなく、安全に下りることができる。
【０００９】
請求項２に係る発明によれば、ステップ部材５は、梯子本体３の角筒状踏み杆２に外嵌可能な踏み杆嵌合用の角筒状中空部５ｂをステップ部材５の基端部側に有するアルミ押出型材からなるもので、その角筒状中空部５ｂを最上段側の踏み杆２に外嵌固定するようにしたから、ステップ部材５自体を安価に製作できると共に、このステップ部材５の取付けが簡単で、梯子Ａの製作が容易となる。
【００１０】
請求項３に係る発明によれば、掛止具４は、梯子本体３の両側枠１，１の上端部側に設置高さ変更自在に取り付けられているから、トラック荷台部の高さに応じて掛止具４の設置高さを調整することによって、的確な梯子Ａの使用を行なうことができる。
【発明を実施するための最良の形態】
【００１１】
以下に本発明の実施形態について図面を参照しながら説明すると、先ず、図１の(a) は本発明に係るトラック用昇降梯子Ａの正面図、(b) は同トラック用昇降梯子Ａの側面図であり、図２は同トラック用昇降梯子Ａの使用状態における側面図である。このトラック用昇降梯子Ａは、左右一対の側枠１，１に踏み杆２を所要間隔おきに複数段に横架してなる梯子本体３と、この梯子本体３の両側枠１，１の夫々上端部側に設けられていて、トラックの荷台部の立て掛け個所に係止される掛止具４とから構成され、掛止具４は、梯子本体３の両側枠１，１の夫々上端部側に設置高さ変更自在に取り付けられている。
【００１２】
梯子本体３には、図１の(a) 及び(b) から分かるように、最上段側の踏み杆２の上に、作業者が履いている靴の底部をその長さの半分以上にわたって支持するように踏み杆２よりも幅の広い作業床兼用のステップ部材５が取り付けられている。即ち、このステップ部材５は、後述する図５の(a) ，(b) に示すように、梯子Ａを使用する作業者が履いている靴Ｓの底部Ｂをその長さＬの半分以上にわたって支持し得るように踏み杆２の幅ｗよりも広い幅Ｗを有する。
【００１３】
また、梯子本体３には片側の側枠１の上端部側に、手掛り棒６が、回転式取付金具７を介して、図１の(a) に仮想線あるいは図２の実線で示されるように鉛直姿勢に起立した使用位置と、この使用位置から下向きに反転して同図の実線で示すように側枠１に沿って収納される収納位置とに回転可能に設けられている。
【００１４】
梯子本体３の各側枠１は、図３〜図５に示すように外側板部１ａと前後板部１ｂ，１ｃとで断面コ字状に形成されるアルミ押出型材からなり、各踏み杆２は、図３に示すような中空角筒状のアルミ押出型材からなる。
【００１５】
ステップ部材５も角筒状アルミ押出型材からなるもので、このステップ部材５は、図３に示すように、隔壁部５ａを隔てて、基端部側の角筒状中空部５ｂと、その先方側の角筒状中空部５ｃとによって形成させれ、その基端部側の角筒状中空部５ｂは、角筒状踏み杆２の断面形状に対応する断面形状を有して、その踏み杆２にぴったりと外嵌し得る形状に形成され、しかしてその基端部側の角筒状中空部５ｂが最上段側の踏み杆２に外嵌されて固定されている。
【００１６】
梯子本体３を組み立てるには、夫々断面コ字状のアルミ押出型材からなる左右一対の側枠１，１を夫々コ字状の開口部側を内向きにして所定間隔に対向させた状態で、両側枠１，１間に踏み杆２を複数段、例えば３段に配して、各踏み杆２の両端部を両側枠１，１に夫々内嵌合させ、詳細な図示は省略するが、各側枠１の前後板部１ｂ，１ｃから踏み杆２に対しボルト２２（図１の(a) 参照）をねじ込んで締め付け固定する。そして、最上段の踏み杆２を取り付ける際に、その最上段の踏み杆２に予めステップ部材５を上記のように取り付けておいて、このステップ部材５を取り付けた踏み杆２を両側枠１，１間の最上段位置にボルト２２で固定する。
【００１７】
上記のようにステップ部材５は、梯子本体３の角筒状踏み杆２に外嵌可能な踏み杆嵌合用の角筒状中空部５ｂをステップ部材５の基端部側に形成したアルミ押出型材からなるもので、その角筒状中空部５ｂを最上段側の踏み杆２に外嵌して固定するようにしたから、ステップ部材５自体を安価に製作できると共に、このステップ部材５の取付けが簡単で、梯子Ａの製作が容易となる。
【００１８】
図１の(a) に概略示すように、各踏み杆２の両端部下面側には三角形のコーナー補強金具２３が取り付けられていて、このコーナー補強金具２３も踏み杆２と共にボルト２２で側枠１に取付け固定される。尚、最上段の踏み杆２については、これにステップ部材５を外嵌した後、両端部にコーナー補強金具２３が固着されるから、ステップ部材５は両端部のコーナー補強金具２３，２３間に保持されて固定され、ガタつくようなことがない。
【００１９】
掛止具４は、梯子本体３の両側枠１，１の夫々上端部側に設置高さ変更自在に取り付けらるが、その具体的な構造を図４の(a) 及び(b) に示している。即ち、この掛止具４は、水平部８ａ及び先端側の垂直部８ｂとでＬ字状に形成された掛止具本体８と、仮想線図示のように外側板部１ａと前後板部１ｂ，１ｃとからなる断面コ字状の側枠１にその開口部側からスライド可能に嵌合固定される取付金具９とによって構成される。取付金具９は、内側板部９ａと前後板部９ｂ，９ｃとでコ字状に形成されており、内側板部９ａの上端部に掛止具本体８の基端部が溶接によって固着され、各側枠１の前後板部１ｂ，１ｃにはその上端部側に、図１の(a) に示すようにボルト挿通孔２５が一定間隔で複数箇所（例えば８個所）に設けられ、そして取付金具９の前後板部９ｂ，９ｃにはボルト挿通孔２６が、側枠１のボルト挿通孔２５と対応するように設けられている。
【００２０】
この掛止具４の取り付けにあたっては、側枠１内に嵌合した取付金具９を所要位置にスライドさせて、図４の(a) ，(b) に示すように側枠１の前後板部１ｂ，１ｃにある所要のボルト挿通孔２５からボルト２８を、取付金具９のボルト挿通孔２６に通してナット２７で締め付けることにより、掛止具４を側枠１の上端部側の所要高さ位置に取り付けることができる。
【００２１】
上記のように構成されるトラック用昇降梯子Ａの使用に際しては、図２に示すように、トラック荷台部の煽り外板Ｒに掛止具４を掛止させて梯子本体３を所定角度θ°に傾斜した状態で立て掛ける。この図２には、トラック荷台部の煽り外板Ｒの高さに応じて、掛止具４の設置高さを例えばＨ1 〜Ｈ6 の６段階に変更可能であることを図示している。この掛止具４の設置高さを変更する時は、前記したように、ボルト２８を取り外して取付金具９を側枠１に沿って適宜にスライドさせ、所定の位置でこの取付金具９を再びボルト２８で側枠１に固定すればよい。
【００２２】
このように掛止具４は、梯子本体３の側枠１の上端部側に設置高さ変更自在に取り付けられているから、トラック荷台部の煽り外板Ｒの高さに応じて掛止具４の設置高さを調整することにより、的確な梯子Ａの使用を行なうことができる。
【００２３】
図５の(a) 及び(b) は、上記のようにしてトラック荷台部の煽り外板Ｒに立て掛けたトラック用昇降梯子Ａの使用状態を示したもので、(a) は作業者が梯子本体３の最上段側の踏み杆２に足Ｆを掛けてトラック荷台部への荷物の積み下ろし作業を行なっている状態を示し、また(b) は作業者がトラック荷台部から下りるために最上段側の踏み杆２に足を踏み入れる時に作業者の足Ｆが最上段側の踏み杆２に掛かっている状態を示す。
【００２４】
この図５(a) 、(b) から分かるように、この梯子本体３の最上段側の踏み杆２上には、作業者が履いている靴Ｓの底部Ｂをその長さＬの半分以上にわたって支持するように踏み杆２の幅ｗよりも広い幅Ｗを有する作業床兼用のステップ部材５が取り付けてあるから、(a) のように作業者が梯子本体３の最上段側の踏み杆２に足を掛けて積み下ろし作業を行なう場合は、靴Ｓの底部Ｂをその最上段側の踏み杆２に十分に支持させることができて、足場が安定状態となり、従って作業がし易く、安全に作業を行なうことができるし、また(b) のように作業者がトラック荷台部から下りるために最上段側の踏み杆２に足を踏み入れる時も、その靴Ｓの底部Ｂを最上段側踏み杆２に十分に支持させることができるから、足を踏み外すことがなく、安全に下りることができる。
【００２５】
以上説明した実施形態では、梯子本体３に取り付けられる最上段の踏み杆２にその上からステップ部材５を取り付けるようにしているが、梯子本体３の最上段に踏み杆２を取り付けることなく、踏み杆２に代えて、梯子本体３の最上段の踏み杆取付位置に、作業床兼用ステップ部材５を直接取り付けるようにしてもよい。
【図面の簡単な説明】
【００２６】
【図１】(a) は本発明に係るトラック用昇降梯子の収納状態における正面図、(b) は同トラック用昇降梯子の収納状態における側面図である。
【図２】同トラック用昇降梯子の使用状態における側面図である。
【図３】梯子本体の最上段の踏み杆に外嵌して取り付けられるステップ部材の拡大断面図である。
【図４】(a) は掛止具の取付構造を示す拡大正面図、(b) はその平面図である。
【図５】ステップ部材の使用状態を示す断面図である。
【符号の説明】
【００２７】
Ａ            トラック用昇降梯子
１            側枠
２            踏み杆
３            梯子本体
４            掛止具
５            ステップ部材
【図１】
2007285054.tif 000003
【図２】
2007285054.tif 000004
【図３】
2007285054.tif 000005
【図４】
2007285054.tif 000006
【図５】
2007285054.tif 000007